(57)【特許請求の範囲】
【請求項１】
装置本体のレンズ受上に載置された眼鏡レンズに対して離間した退避位置と前記眼鏡レンズに印点可能な印点位置との間で進退動可能に印点針を前記装置本体に保持させ、且つ、前記印点針を先端が前記眼鏡レンズに対向する対向方向と該対向位置に対して交差する方向を向いた非対向方向との間で回動可能に設けられたレンズメータにおいて、
先端が前記非対向方向に向けられた前記印点針を前記退避位置で前記眼鏡レンズ側に移動するのを阻止し且つ先端が前記対向方向に向けられた前記印点針を前記退避位置で前記眼鏡レンズ側に移動可能とする移動規制手段が設けられていることを特徴とするレンズメータ。
【請求項２】
前記対向方向と非対向方向は略垂直に交差することを特徴とする請求項１に記載のレンズメータ。
【請求項３】
前記移動規制手段は、前記装置本体に設けられた係止部と、前記印点針の軸線と平行に設けられ且つ前記印点針と一体の保持部材に設けられた被係止部とを備え、
前記被係止部は、前記印点針の先端が前記退避位置で前記非対向方向に向けられたときに前記係止部に前記眼鏡レンズとは反対側から当接して前記眼鏡レンズ側への移動を阻止し、且つ、前記印点針の先端が前記退避位置で前記対向方向に向けられる際に前記印点針と一体に回動して前記係止部の側方に回動し前記眼鏡レンズ側への移動を可能に設けられていることを特徴とする請求項１又は２に記載のレンズメータ。
【発明の詳細な説明】
【技術分野】
【０００１】
この発明は、眼鏡レンズに印点を施す印点装置が設けられたレンズメータに関するものである。
【背景技術】
【０００２】
一般に、レンズ周縁加工装置では、直線的に配列した一対のレンズ回転軸間に眼鏡レンズを配設して、この眼鏡レンズをレンズ回転軸の対向端部間で挟持させると共に、眼鏡レンズをレンズ回転軸と一体に回転させながら研削砥石に対して進退動させて、眼鏡レンズをメガネの玉型形状に研削加工するようにしている。
【０００３】
この眼鏡レンズをレンズ回転軸の対向端部間で挟持させる場合に、眼鏡レンズの前側屈折面にレンズ吸着カップ等のレンズ吸着治具を取り付け、このレンズ吸着治具の軸状部を一方のレンズ回転軸の端部に設けた取付穴に嵌着して、他方のレンズ回転軸の端部に設けた弾性部材製の押さえ部材で眼鏡レンズを押さえ付けるようにしている。
【０００４】
このレンズ吸着治具は、レンズメータの印点装置で眼鏡レンズに印点された印点マークを基準に、眼鏡レンズに取り付けられるようになっている。この印点装置は、通常、３つの印点針を備えているのが普通である（例えば、特許文献１参照）。
【０００５】
ところで、このような印点装置としては、例えば、スライダを所定範囲で上下に進退動可能にレンズメータの装置本体に取り付け、このスライダを第１のスプリングで上方にバネ付勢すると共に、このスライダの進退動方向と直交する軸線を中心に回動可能な針保持部材をスライダに保持させ、この針保持部材に保持させた印点針の先端が装置本体の正面（前面）を向くように針保持部材を第２のスプリング（バネ力が第１のスプリングよりも小さい）で回動付勢し、前後に回動可能な操作レバーにリンクを介して針保持部材を連結したものが考えられている。
【０００６】
この印点装置では、印点針がレンズメータのレンズ受上の眼鏡レンズから上方に離反した退避位置にあるときに、印点針の先端が第２のスプリングのバネ力で装置本体の前面側に向けられている。
【０００７】
また、この印点装置では、印点針の操作レバーを手前側に回動させて下方に押圧すると、この操作レバーが第２のスプリングのバネ力に抗して針保持部材が回動させられて、針保持部材と一体の印点針の先端が下方のレンズ受の眼鏡レンズ側に向くようになっている。
【０００８】
そして、印点針の先端が下方を向いた後、更に操作レバーを第１のスプリングのバネ力に抗して下方に押すと、印点針及びスライダが下方に変移し、印点針の先端でレンズ受上の眼鏡レンズに印点できるようになっている。
【特許文献１】特開２００３−８３８４５号公報
【発明の開示】
【発明が解決しようとする課題】
【０００９】
しかしながら、上述した印点装置では、操作レバーと針保持部材とを複数のリンクを介して連動させるようにしているため、部品点数が多く、コスト高になるという問題があった。
【００１０】
また、この印点装置では、操作レバーを下方に押し下げたとき、印点針が下方に移動する前に、印点針の先端を下方に向けるため、第１のスプリングのバネ力を第２のスプリングのバネ力よりも強くする必要があった。しかし、このようにすることで、印点針を下方に押し下げる力が大きくなるものであり、印点作業が容易ではなかった。
【００１１】
そこで、この発明は、印点針が退避位置において下方を向かなければ、印点針を下方に押し下げることができないようにするための構成を少ない部品で且つ安価にできると共に、印点針を下方に移動させる操作力が大きくならないレンズメータを提供することを目的とするものである。
【課題を解決するための手段】
【００１２】
この目的を達成するため、この発明は、装置本体のレンズ受上に載置された眼鏡レンズに対して離間した退避位置と前記眼鏡レンズに印点可能な印点位置との間で進退動可能に印点針を前記装置本体に保持させ、且つ、前記印点針を先端が前記眼鏡レンズに対向する対向方向と該対向位置に対して交差する方向を向いた非対向方向との間で回動可能に設けられたレンズメータにおいて、先端が前記非対向方向に向けられた前記印点針を前記退避位置で前記眼鏡レンズ側に移動するのを阻止し且つ先端が前記対向方向に向けられた前記印点針を前記退避位置で前記眼鏡レンズ側に移動可能とする移動規制手段が設けられているレンズメータとしたことを特徴とする。
【発明の効果】
【００１３】
この構成によれば、先端が眼鏡レンズに対して非対向方向に向けられた印点針を退避位置で眼鏡レンズ側に移動させようとしても、この状態では印点針が移動規制手段により眼鏡レンズ側に移動できない。また、先端が眼鏡レンズに対して対向方向に向けられた印点針を退避位置で眼鏡レンズ側に移動させようとした場合、移動規制手段は印点針の眼鏡レンズ側への移動を可能とする。
【００１４】
従って、印点針が退避位置において下方を向かなければ、印点針を下方に押し下げることができないようにするための構成を少ない部品で且つ安価にできると共に、印点針を下方に移動させる操作力が大きくならないようにできる。
【発明を実施するための最良の形態】
【００１５】
以下、この発明の実施の形態のレンズメータを図面に基づいて説明する。
[構成]
図１において、１はレンズメータの装置本体である。この装置本体１は、図２に示した上下に延びるフレーム２（一部省略）と、このフレーム２をカバー（収容）する図１のケース３を有する。
【００１６】
このフレーム２の前面２ａには、測定光束投影部４及び受光光学系収納部５が上下に間隔をおいて突設されている。この測定光束投影部４及び受光光学系収納部５は図１の上カバー４ａ及び下カバー５ａでカバーされている。
【００１７】
尚、図示は省略したが、測定光束投影部４及び受光光学系収納部５は図１のケース３の前面３ａより手前側に突出している。しかも、測定光束投影部４はケース３の上下方向の中央より上部に位置して配設され、受光光学系収納部５はケース３の前面３ａの上下方向の中央より下部に位置して配設されている。
【００１８】
また、図２において、受光光学系収納部５の先端部側の上面５ｂには、上端に向かうに従って先細り形状で且つ筒状のレンズ受６が突設されている。このレンズ受６には被検レンズとしての眼鏡レンズＬが載置される。
【００１９】
そして、測定光束投影部４内の図示しない測定光束投影系からレンズ受６上の眼鏡レンズＬに測定光束を投影すると、この眼鏡レンズＬを透過した測定光束がレンズ受６を介して受光光学系収納部５内に導かれ、この測定光束は受光光学系収納部５内の図示しない受光光学系を介してＣＣＤ等の受光部で受光されるようになっている。しかも、この受光部に受光された測定光束から眼鏡レンズＬの光学特性が図示しない演算制御回路（演算制御手段）により求められるようになっている。この求められた光学特性は、ケース３の前面３ａの上部に設けられた液晶表示器（表示手段）７に表示されるようになっている。
【００２０】
このような測定光束投影系と受光光学系からなる測定光学系、及び光学特性を求めて液晶表示器７に表示させる構成には周知の構成を採用できるので、その詳細な説明は省略する。
【００２１】
また、装置本体１には、図１，図２に示したように印点装置Ａが設けられている。次に、この印点装置Ａについて説明する。
【００２２】
図２に示したようにフレーム２の上部には上下に間隔をおいて支持板部２ｂ，２ｃが設けられ、この支持板部２ｂ，２ｃの側部間には上下に延びる一対のガイド軸８，９が前後に間隔をおいて平行に配設されている。このガイド軸８，９は上下端部が支持板部２ｂ，２ｃにそれぞれ固定されている。
【００２３】
このガイド軸８は、図２，図３，図５，図６に示したように印点装置Ａのスライダ１０の嵌合孔１０ａに摺動自在に嵌合挿通されている。これにより、スライダ１０はガイド軸８に上下動自在に保持されている。
【００２４】
しかも、スライダ１０には、図６に示したように後方に開放し且つ上下に延びるガイド溝１０ｂが形成されている。このガイド溝１０ｂにはガイド軸９が配設されている。このガイド軸９は、後方への開放端側には移動可能に左右方向（溝巾方向）には移動不能に、ガイド溝１０ｂ内に配設されている。これにより、スライダ１０はガイド軸９に上下動自在に係合している。そして、このスライダ１０と下側の支持板部２ｃとの間にはガイド軸９に捲回したコイルスプリング１１が付勢手段として介装されている。このコイルスプリング１１は、スライダ１０を上方にバネ付勢している。
【００２５】
また、上側の支持板部２ｂには、図２，図４，図６に示したように、ガイド軸８，９に位置させてストッパ突部１２が一体に設けられている。このストッパ突部１２には、スライダ１０がコイルスプリング１１のバネ力により当接させられている。
【００２６】
更に、スライダ１０の側部には、印点装置Ａのレバー支持プレート１３がレバー支持部材としてビス１４により固定されている。
【００２７】
この支持プレート１３の手前側（前側）には、図２〜図４に示したように、下方に延びる延設部１３ａが一体に形成されている。この延設部１３ａの下端部には、図２〜図５に示したように、フレーム２の前面２ａより手前側に位置するレバー支持用の板状のアーム部（支持板部）１５が一体に形成されている。このアーム部１５は前面２ａに沿って左右両端部まで水平に延びており、アーム部１５の両端には図２，図３，図５に示したように下方に延びる軸取付板部１５ａ，１５ａが一体に形成されている。
【００２８】
このアーム部１５の一端部側には、下方に延びるＬ字状のストッパ１６が一体形成されている。また、アーム部１５の軸取付板部１５ａ，１５ａには、左右に水平に延びる支持軸（回動軸）１７の両端部が回動自在に保持されている。
【００２９】
この回動軸１７の一端部には操作レバー１８が固定されている。この操作レバー１８には、支持軸１７に沿って他端部側に延びる取付板部１８ａが一体に形成されている。
【００３０】
また、この取付板部１８ａには、この取付板部１８ａが下方を向いたときにアーム部１５の後面（後端）に当接するストッパ突部１８ｂが形成されている。１８ｃは操作レバー１８の操作ツマミである。
【００３１】
しかも、取付板部１８ａとアーム部１５との間には、図３，図５に示した支持軸１７に捲回した捻りコイルスプリング１９が回動付勢手段として介装されている。この捻りコイルスプリング１９は、取付板部１８ａを下方且つ後方に回動付勢していて、図２，図３，図７の退避位置ではストッパ突部１８ｂをアーム部１５の後面に当接させている。
【００３２】
また、取付板部１８ａには、図２，図３，図５に示したように針保持板（針保持部材）２０の基端部がネジ２１により固定されている。この針保持板２０の先端部には、左右に等間隔に配設され且つ板面と直交する方向に延びる３つの保持筒２１ａ〜２１ｃが固定されている。この保持筒２１ａ〜２１ｃには、図１，図７〜図１０に示したように印点針２２ａ〜２２ｃが軸線方向に進退動可能に保持されている。この印点針２２ａ〜２２ｃは図示しないバネ（弾性部材）により突出する方向にバネ付勢されている。尚、図１に示した印点針２２ａ〜２２ｃは、図２，図３，図７の退避位置では後方（フレーム２の前面２ａ側）を向くようになっている。また、この針保持板２０は、取付板部１８ａと一体に手前側に水平な位置まで回動したとき、ストッパ１６に当接するようになっている。
【００３３】
更に、支持軸１７の他端部とフレーム２との間には、図５，図７〜図１０に示したように、移動規制手段２３が配設されている。この移動規制手段２３は、図７〜図１０のようにフレーム２の他側部にネジ２４ａで固定されたストッパ板２４と、支持軸１７の他端部に固定されたＬ字状のストッパアーム２５を有する。このストッパ板２４は前後に延びていて、ストッパ板２４の前端部には支持軸１７側に折曲された係止部（ストッパ部）２４ｂが設けられている。また、ストッパアーム２５は、印点針２２ａ〜２２ｃの軸線と平行に設けられている。
[作用]
次に、このような構成のレンズメータの印点装置Ａの作用を説明する。
【００３４】
図２，図７の如く印点針２２ａ〜２２ｃがレンズ受６上の眼鏡レンズＬから上方に大きく離間すると共に、図２，図６の如くスライダ１０がストッパ１２の下端にコイルスプリング１１のバネ力で当接させられた状態では、操作レバー１８のストッパ突部１８ｂが捻りコイルスプリング１９によりアーム部１５の後面（後端）に当接させられている。
【００３５】
この位置では、取付板部１８ａが下方を向くと共に、印点針２２ａ〜２２ｃの先端が後方（フレーム２の前面２ａ側）を向いていて、この印点針２２ａ〜２２ｃがレンズ受６の上から退避している。この印点針２２ａ〜２２ｃの退避位置では、印点針２２ａ〜２２ｃの先端がレンズ受６上の眼鏡レンズＬに対して非対向方向を向いた状態となっていると共に、ストッパアーム２５がストッパ板２４の係止部２４ｂ上に位置している。
【００３６】
この退避位置で、操作レバー１８をコイルスプリング１１のバネ力に抗して下方に押し下げようとした場合、スライダ１０が僅かに下方に変移したとき、支持軸１７を介して操作レバー１８と一体に設けられたストッパアーム２５がストッパ板２４の係止部２４ｂ上に当接して、印点針２２ａ〜２２ｃの下方への移動を規制（阻止）する。
【００３７】
一方、操作レバー１８の操作ツマミ１８ｃを捻りコイルスプリング１９のバネ力に抗して後方に押すと、支持軸１７が操作レバー１８と一体に回動して、支持軸１７と一体のストッパアーム２５が図８の矢印Ｂ１で示した如く上方且つ後方に回動する。そして、この回動に伴い針保持板２０は、取付板部１８ａと一体に手前側に水平な位置まで回動したとき、図９に示したようにストッパ１６に当接する。この位置では、ストッパアーム２５が上方を向くと共にストッパ板２４の係止部２４ｂ上から後方に外れる。しかも、この位置では、印点針２２ａ〜２２ｃは先端がレンズ受６上の眼鏡レンズＬに対向する対向方向に向けられる。即ち、印点針２２ａ〜２２ｃは下方を向いて先端がレンズ受６上の眼鏡レンズＬに対向させられる。
【００３８】
この状態では、操作レバー１８の操作ツマミ１８ｃも水平位置まで回動しているので、そのまま操作ツマミ１８ｃをコイルスプリング１１のバネ力に抗して下方に押し下げることにより、図１０に示した如く矢印Ｂ２で示した如くストッパアーム２５及び印点針２２ａ〜２２ｃが下方に移動変移する。このような下方への移動操作により、印点針２２ａ〜２２ｃの先端がレンズ受６上の眼鏡レンズＬに当接する。この当接位置すなわち印点位置では、レンズ受６上の眼鏡レンズＬに３つの印点マーク（図示せず）が印点針２２ａ〜２２ｃにより印点される。
【００３９】
尚、ストッパアーム２５の長さは、印点針２２ａ〜２２ｃが退避位置から印点位置まで押し下げられるストロークと略同じ長さか、或いはこのストロークよりも長く形成されている。これにより、支持プレート１３に取り付けられた印点機構全体がスライダ１０と一体に基準位置（退避位置で印点針が下方を向いた位置）に復帰してから（或いはある程度上がってから）のみ、印点針２２ａ〜２２ｃの部分の後方への回転が許容される。即ち、印点針２２ａ〜２２ｃが捻りコイルスプリング１９により後方側に回動しようとしているが、支持プレート１３に取り付けられた印点機構全体が印点位置まで押し下げられる途中では、ストッパアーム２５と係止部２４ｂにより後方側への回動が阻止されているので、印点針２２ａ〜２２ｃの不意の回転による印点部のズレも未然に防止できる。
【００４０】
また、操作ツマミ１８ｃへの押し下げ力を弱くすると、スライダ１０，印点針２２ａ〜２２ｃやストッパアーム２５は上述とは逆にコイルスプリング１１のバネ力により上方に移動して、スライダ１０がストッパ１２に当接させられる。この当接位置において、操作ツマミ１８ｃからさらに押圧力を徐々に解除すると、操作レバー１８が捻りコイルスプリング１９のバネ力により手前側に回動させられて、ストッパ１８ｂがアーム部１５の後面に当接する。この位置では、図７の如く取付板部１８ａ及び針保持板２０が下方を向いて、印点針２２ａ〜２２ｃの先端が後方に向けられる。
【００４１】
以上説明したように、この発明の実施の形態のレンズメータでは、装置本体１のレンズ受６上に載置された眼鏡レンズＬに対して離間した退避位置と前記眼鏡レンズに印点可能な印点位置との間で進退動可能に印点針２２ａ〜２２ｃを前記装置本体１に保持させ、且つ、前記印点針２２ａ〜２２ｃを先端が前記眼鏡レンズＬに対向する対向方向と該対向位置に対して交差する方向を向いた非対向方向との間で回動可能に設けられている。しかも、先端が前記非対向方向に向けられた前記印点針２２ａ〜２２ｃを前記退避位置で前記眼鏡レンズＬ側に移動するのを阻止し且つ先端が前記対向方向に向けられた前記印点針２２ａ〜２２ｃを前記退避位置で前記眼鏡レンズＬ側に移動可能とする移動規制手段２３が設けられている。尚、交差する方向は、略９０°以外に、例えば４５°〜９０°の範囲内も考えられる。
【００４２】
この構成によれば、先端が眼鏡レンズＬに対して非対向方向に向けられた印点針２２ａ〜２２ｃを退避位置で眼鏡レンズＬ側に移動させようとしても、この状態では印点針２２ａ〜２２ｃが移動規制手段２３により眼鏡レンズＬ側に移動できない。また、先端が眼鏡レンズＬに対して対向方向に向けられた印点針２２ａ〜２２ｃを退避位置で眼鏡レンズＬ側に移動させようとした場合、移動規制手段２３は印点針２２ａ〜２２ｃの眼鏡レンズ側への移動を可能とする。
【００４３】
従って、印点針２２ａ〜２２ｃが退避位置において下方を向かなければ、印点針２２ａ〜２２ｃを下方に押し下げることができないようにするための構成を少ない部品で且つ安価にできると共に、印点針２２ａ〜２２ｃを下方に移動させる操作力が大きくならないようにできる。
【００４４】
また、この発明の実施の形態のレンズメータにおいて、前記対向方向と非対向方向は略垂直に交差するようにしている。この構成でも、上述した効果を有する。
【００４５】
また、この発明の実施の形態のレンズメータの前記移動規制手段２３は、前記装置本体１に設けられた係止部２４ｂと、前記印点針２２ａ〜２２ｃの軸線と平行に設けられ且つ前記印点針２２ａ〜２２ｃと一体の保持部材（支持軸１７）に設けられた被係止部（ストッパアーム２５）とを備えている。しかも、前記被係止部（ストッパアーム２５）は、前記印点針２２ａ〜２２ｃの先端が前記退避位置で前記非対向方向に向けられたときに前記係止部２４ｂに前記眼鏡レンズＬとは反対側から当接して前記眼鏡レンズＬ側への移動を阻止し、且つ、前記印点針２２ａ〜２２ｃの先端が前記退避位置で前記対向方向に向けられる際に前記印点針２２ａ〜２２ｃと一体に回動して前記係止部２４ｂの側方（後側方））に回動し前記眼鏡レンズＬ側への移動を可能に設けられている。
【００４６】
この構成によれば、印点針２２ａ〜２２ｃの押し下げ時には、被係止部２５と係止部２４ｂの作用により、印点針２２ａ〜２２ｃが下方を向いた状態となるので、印点装置Ａの他の部分がレンズ受６上の眼鏡レンズＬに当たるようなことは未然に回避できる。
【図面の簡単な説明】
【００４７】
【図１】この発明に係る印点装置を備えるレンズメータの概略斜視図である。
【図２】図１のケースで覆われるフレームの部分概略斜視図である。
【図３】図２の部分拡大斜視図である。
【図４】図３の右側面図である。
【図５】図３の正面図である。
【図６】図３の一部を破断すると共に部品の一部を省略して示した斜視図である。
【図７】図２を左前側の斜め上から見た作用説明のための斜視図である。
【図８】図７のストッパアームの作用説明図である。
【図９】図７のストッパアームの作用説明図である。
【図１０】図７のストッパアームの作用説明図である。
【符号の説明】
【００４８】
１…装置本体
６…レンズ受
１７…支持軸（保持部材）
２２ａ〜２２ｃ…印点針
２３…移動規制手段
２４ｂ…係止部
２５…ストッパアーム（被係止部）
Ａ…印点装置
Ｌ…眼鏡レンズ
【図１】
0004699157.tif 000002
【図２】
0004699157.tif 000003
【図３】
0004699157.tif 000004
【図４】
0004699157.tif 000005
【図５】
0004699157.tif 000006
【図６】
0004699157.tif 000007
【図７】
0004699157.tif 000008
【図８】
0004699157.tif 000009
【図９】
0004699157.tif 000010
【図１０】
0004699157.tif 000011